(57)【要約】【課題】画像形成装置における省エネモード復帰後の定着立ち上がり時間を短縮することにあり、また、定着装置への電力供給を充分に行なうことにある。【解決手段】制御手段５０２が低電力モードから通常電力モードへの復帰時に補助電源装置８０からＤＣ電力の供給を行なうことにより、定着装置２１４へ最大供給電力を供給することができ、低電力モードから通常電力モードへの復帰時間の短縮をはかることができる。【選択図】図１
2007155767.tif 000002
【特許請求の範囲】
【請求項１】
ＡＣ電力とＤＣ電力とを供給する主電源装置と、蓄電可能なＤＣ電力を供給する補助電源装置と、前記主電源装置及び前記補助電源装置を用いて所定の期間ＤＣ電力を前記補助電源装置から供給する制御手段とを備えた画像形成装置において、前記制御手段は、低電力モードから通常電力モードへの復帰時に前記補助電源装置からＤＣ電力の供給を行うことを特徴とする画像形成装置。
【請求項２】
ＡＣ電力とＤＣ電力とを供給する主電源装置と、蓄電可能なＤＣ電力を供給する補助電源装置と、前記主電源装置及び前記補助電源装置を用いて所定の期間ＤＣ電力を前記補助電源装置から供給する制御手段とを備えた画像形成装置において、前記制御手段は、休止モードから通常電力モードへの復帰時に前記補助電源装置からＤＣ電力の供給を行うことを特徴とする画像形成装置。
【請求項３】
ＡＣ電力とＤＣ電力とを供給する主電源装置と、蓄電可能なＤＣ電力を供給する補助電源装置と、前記主電源装置及び前記補助電源装置を用いて所定の期間ＤＣ電力を前記補助電源装置から供給する制御手段とを備えた画像形成装置において、前記制御手段は電源投入時に前記補助電源装置からＤＣ電力の供給を行うことを特徴とする画像形成装置。
【請求項４】
請求項１から３のいずれか１項に記載の画像形成装置において、前記制御手段は、装置立ち上げ時に所定の処理がある場合、前記補助電源装置からＤＣ電力の供給への移行を行わず前記主電源装置から電力の供給を行うことを特徴とする画像形成装置。
【請求項５】
請求項４に記載の画像形成装置において、前記所定の処理は、画像位置合わせ処理であることを特徴とする画像形成装置。
【請求項６】
請求項４に記載の画像形成装置において、前記所定の処理は、プロセス条件処理であることを特徴とする画像形成装置。
【請求項７】
請求項４に記載の画像形成装置において、前記所定の処理は、コントローラ立ち上げ処理であることを特徴とする画像形成装置。
【請求項８】
請求項４に記載の画像形成装置において、前記所定の処理は、トナー補給要求処理であることを特徴とする画像形成装置。
【請求項９】
請求項４に記載の画像形成装置において、前記所定の処理は、用紙補給要求処理であることを特徴とする画像形成装置。
【請求項１０】
請求項４に記載の画像形成装置において、前記所定の処理は、廃トナー廃棄要求処理であることを特徴とする画像形成装置。
【請求項１１】
請求項４に記載の画像形成装置において、前記所定の処理は、排紙取り除き要求処理であることを特徴とする画像形成装置。
【請求項１２】
画像形成装置に対し、主電源装置よりＡＣ電力とＤＣ電力とを供給し、補助電源装置より所定の期間ＤＣ電力を供給する画像形成方法において、低電力モードから通常電力モードへの復帰時に前記補助電源装置からＤＣ電力の供給を行うことを特徴とする画像形成方法。
【請求項１３】
画像形成装置に対し、主電源装置よりＡＣ電力とＤＣ電力とを供給し、補助電源装置より所定の期間ＤＣ電力を供給する画像形成方法において、休止モードから通常電力モードへの復帰時に前記補助電源装置からＤＣ電力の供給を行うことを特徴とする画像形成方法。
【請求項１４】
画像形成装置に対し、主電源装置よりＡＣ電力とＤＣ電力とを供給し、補助電源装置より所定の期間ＤＣ電力を供給する画像形成方法において、電源投入時に前記補助電源装置からＤＣ電力の供給を行うことを特徴とする画像形成方法。
【請求項１５】
画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムにおいて、前記コンピュータに、低電力モードから通常電力モードへの復帰時に前記補助電源装置からＤＣ電力の供給を行う処理を実行させることを特徴とする画像形成プログラム。
【請求項１６】
画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムにおいて、前記コンピュータに、休止モードから通常電力モードへの復帰時に前記補助電源装置からＤＣ電力の供給を行う処理を実行させることを特徴とする画像形成プログラム。
【請求項１７】
画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムにおいて、前記コンピュータに、電源投入時に前記補助電源装置からＤＣ電力の供給を行う処理を実行させることを特徴とする画像形成プログラム。
【請求項１８】
画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体において、前記コンピュータに、低電力モードから通常電力モードへの復帰時に前記補助電源装置からＤＣ電力の供給を行う処理を実行させる画像形成プログラムを記憶したことを特徴とする記憶媒体。
【請求項１９】
画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体において、前記コンピュータに、休止モードから通常電力モードへの復帰時に前記補助電源装置からＤＣ電力の供給を行う処理を実行させる画像形成プログラムを記憶したことを特徴とする記憶媒体。
【請求項２０】
画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体において、前記コンピュータに、電源投入時に前記補助電源装置からＤＣ電力の供給を行う処理を実行させる画像形成プログラムを記憶したことを特徴とする記憶媒体。 
【発明の詳細な説明】
【技術分野】
【０００１】
本発明は、画像形成装置、画像形成方法、画像形成プログラム、及び記憶媒体に関する。
【背景技術】
【０００２】
複写機やプリンタ等の電子写真方式の画像形成装置は、感光体、感光体の周囲に設けられる帯電器部、露光部、現像部、及び転写部等からなる作像部と、その転写部で転写紙に転写されたトナー像を定着するための定着装置とを備えている。その定着装置にはヒータを内蔵した定着ローラが設けられている。また、その定着ローラの温度を一定に保つためにヒータへの通電を制御するヒータ制御装置が設けられている（例えば、特許文献１参照）。
【特許文献１】特開２００４−２３６４９２号公報
【発明の開示】
【発明が解決しようとする課題】
【０００３】
このような画像形成装置においては、電源投入時や省エネモード復帰時に印刷可能となるまでの立ち上がり時間が速いことが要求される。一般的に立ち上がり時間に最も影響する要因は、定着の立ち上がり時間であり、定着の立ち上がり時間を短くすることが、印刷可能となるまでの立ち上がり時間を短くすることにつながる。
【０００４】
また、最近では、ネットワークを介して外部装置と接続可能な画像形成装置が一般的となってきており、画像形成装置を常時通電して使用することが多く、省エネモード復帰時間の短縮が重要視されている。
【０００５】
そこで、本発明の主な目的は、画像形成装置における省エネモード復帰後の定着立ち上がり時間を短縮することにある。また、本発明の副次的な目的は、定着装置への電力供給を充分に行なうことにある。
【課題を解決するための手段】
【０００６】
上記課題を解決するため、請求項１に記載の発明は、ＡＣ電力とＤＣ電力とを供給する主電源装置と、蓄電可能なＤＣ電力を供給する補助電源装置と、前記主電源装置及び前記補助電源装置を用いて所定の期間ＤＣ電力を前記補助電源装置から供給する制御手段とを備えた画像形成装置において、前記制御手段は、低電力モードから通常電力モードへの復帰時に前記補助電源装置からＤＣ電力の供給を行なうことを特徴とする。
【０００７】
請求項１に記載の発明によれば、制御手段が低電力モードから通常電力モードへの復帰時に補助電源装置からＤＣ電力の供給を行なうことにより、定着装置へ最大供給電力を供給することができ、低電力モードから通常電力モードへの復帰時間の短縮をはかることができる。
【０００８】
請求項２に記載の発明は、ＡＣ電力とＤＣ電力とを供給する主電源装置と、蓄電可能なＤＣ電力を供給する補助電源装置と、前記主電源装置及び前記補助電源装置を用いて所定の期間ＤＣ電力を前記補助電源装置から供給する制御手段とを備えた画像形成装置において、前記制御手段は、休止モードから通常電力モードへの復帰時に前記補助電源装置からＤＣ電力の供給を行なうことを特徴とする。
【０００９】
請求項２に記載の発明によれば、制御手段が休止モードから通常電力モードへの復帰時に補助電源装置からＤＣ電力の供給を行なうことにより、定着装置へ最大供給電力を供給することができ、休止モードから通常電力モードへの復帰時間の短縮をはかることができる。
【００１０】
請求項３に記載の発明は、ＡＣ電力とＤＣ電力とを供給する主電源装置と、蓄電可能なＤＣ電力を供給する補助電源装置と、前記主電源装置及び前記補助電源装置を用いて所定の期間ＤＣ電力を前記補助電源装置から供給する制御手段とを備えた画像形成装置において、前記制御手段は電源投入時に前記補助電源装置からＤＣ電力の供給を行なうことを特徴とする。
【００１１】
請求項３に記載の発明によれば、制御手段が電源投入時に補助電源装置からＤＣ電力の供給を行なうことにより、定着装置へ最大供給電力を供給することができ、電源投入時からの装置の立ち上がり時間の短縮をはかることができる。
【００１２】
請求項４に記載の発明は、請求項１から３のいずれか１項に記載の画像形成装置において、前記制御手段は、装置立ち上げ時に所定の処理がある場合、前記補助電源装置からＤＣ電力の供給への移行を行なわず前記主電源装置から電力の供給を行なうことを特徴とする。
【００１３】
請求項４に記載の発明によれば、制御手段が装置立ち上げ時に所定の処理がある場合、補助電源装置からＤＣ電力の供給への移行を行なわず主電源装置から電力の供給を行なうことにより、補助電源装置の無駄な放電を防止することができる。
【００１４】
請求項５に記載の発明は、請求項４に記載の画像形成装置において、前記所定の処理は、画像位置合わせ処理であることを特徴とする。
【００１５】
請求項５に記載の発明によれば、所定の処理が画像位置合わせ処理であることにより、補助電源装置からのＤＣ電力の供給に移行しないので、補助電源装置の無駄な放電を防止することができる。
【００１６】
請求項６に記載の発明は、請求項４に記載の画像形成装置において、前記所定の処理は、プロセス条件処理であることを特徴とする。
【００１７】
請求項６に記載の発明によれば、所定の処理がプロセス条件処理であることにより、補助電源装置からのＤＣ電力の供給に移行しないので、補助電源装置の無駄な放電を防止することができる。
【００１８】
請求項７に記載の発明は、請求項４に記載の画像形成装置において、前記所定の処理は、コントローラ立ち上げ処理であることを特徴とする。
【００１９】
請求項７に記載の発明によれば、所定の処理がコントローラ立ち上げ処理であることにより、補助電源装置からのＤＣ電力の供給に移行しないので、補助電源装置の無駄な放電を防止することができる。
【００２０】
請求項８に記載の発明は、請求項４に記載の画像形成装置において、前記所定の処理は、トナー補給要求処理であることを特徴とする。
【００２１】
請求項８に記載の発明によれば、所定の処理がトナー補給要求処理であることにより、補助電源装置からのＤＣ電力の供給に移行しないので、補助電源装置の無駄な放電を防止することができる。
【００２２】
請求項９に記載の発明は、請求項４に記載の画像形成装置において、前記所定の処理は、用紙補給要求処理であることを特徴とする。
【００２３】
請求項９に記載の発明によれば、所定の処理が用紙補給要求処理であることにより、用紙補給要求処理がある場合、補助電源装置からのＤＣ電力の供給に移行しないので、補助電源装置の無駄な放電を防止することができる。
【００２４】
請求項１０に記載の発明は、請求項４に記載の画像形成装置において、前記所定の処理は、廃トナー廃棄要求処理であることを特徴とする。
【００２５】
請求項１０に記載の発明によれば、所定の処理が廃トナー廃棄要求処理であることにより、補助電源装置からのＤＣ電力の供給に移行しないので、補助電源装置の無駄な放電を防止することができる。
【００２６】
請求項１１に記載の発明は、請求項４に記載の画像形成装置において、前記所定の処理は、排紙取り除き要求処理であることを特徴とする。
【００２７】
請求項１１に記載の発明によれば、所定の処理が排紙取り除き要求処理であることにより、補助電源装置からのＤＣ電力の供給に移行しないので、補助電源装置の無駄な放電を防止することができる。
【００２８】
請求項１２に記載の発明は、画像形成装置に対し、主電源装置よりＡＣ電力とＤＣ電力とを供給し、補助電源装置より所定の期間ＤＣ電力を供給する画像形成方法において、低電力モードから通常電力モードへの復帰時に前記補助電源装置からＤＣ電力の供給を行なうことを特徴とする。
【００２９】
請求項１２に記載の発明によれば、低電力モードから通常電力モードへの復帰時に補助電源装置からＤＣ電力の供給を行なうことにより、定着装置へ最大供給電力を供給することができ、低電力モードから通常電力モードへの復帰時間の短縮をはかることができる。
【００３０】
請求項１３に記載の発明は、画像形成装置に対し、主電源装置よりＡＣ電力とＤＣ電力とを供給し、補助電源装置より所定の期間ＤＣ電力を供給する画像形成方法において、休止モードから通常電力モードへの復帰時に前記補助電源装置からＤＣ電力の供給を行なうことを特徴とする。
【００３１】
請求項１３に記載の発明によれば、休止モードから通常電力モードへの復帰時に補助電源装置からＤＣ電力の供給を行なうことにより、定着装置へ最大供給電力を供給することができ、休止モードから通常電力モードへの復帰時間の短縮をはかることができる。
【００３２】
請求項１４に記載の発明は、画像形成装置に対し、主電源装置よりＡＣ電力とＤＣ電力とを供給し、補助電源装置より所定の期間ＤＣ電力を供給する画像形成方法において、電源投入時に前記補助電源装置からＤＣ電力の供給を行なうことを特徴とする。
【００３３】
請求項１４に記載の発明によれば、電源投入時に補助電源装置からＤＣ電力の供給を行なうことにより、定着装置へ最大供給電力を供給することができ、電源投入時からの装置の立ち上がり時間の短縮をはかることができる。
【００３４】
請求項１５に記載の発明は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムにおいて、前記コンピュータに、低電力モードから通常電力モードへの復帰時に前記補助電源装置からＤＣ電力の供給を行なう処理を実行させることを特徴とする。
【００３５】
請求項１５に記載の発明によれば、コンピュータに、低電力モードから通常電力モードへの復帰時に前記補助電源装置からＤＣ電力の供給を行なう処理を実行させることにより、定着装置へ最大供給電力を供給することができ、低電力モードから通常電力モードへの復帰時間の短縮をはかることができる。
【００３６】
請求項１６に記載の発明は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムにおいて、前記コンピュータに、休止モードから通常電力モードへの復帰時に前記補助電源装置からＤＣ電力の供給を行なう処理を実行させることを特徴とする。
【００３７】
請求項１６に記載の発明によれば、コンピュータに、休止モードから通常電力モードへの復帰時に前記補助電源装置からＤＣ電力の供給を行なう処理を実行させることにより、定着装置へ最大供給電力を供給することができ、休止モードから通常電力モードへの復帰時間の短縮をはかることができる。
【００３８】
請求項１７に記載の発明は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムにおいて、前記コンピュータに、電源投入時に前記補助電源装置からＤＣ電力の供給を行なう処理を実行させることを特徴とする。
【００３９】
請求項１７に記載の発明によれば、コンピュータに、電源投入時に補助電源装置からＤＣ電力の供給を行なう処理を実行させることにより、定着装置へ最大供給電力を供給することができ、電源投入時からの装置の立ち上がり時間の短縮をはかることができる。
【００４０】
請求項１８に記載の発明は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体において、前記コンピュータに、低電力モードから通常電力モードへの復帰時に前記補助電源装置からＤＣ電力の供給を行なう処理を実行させる画像形成プログラムを記憶したことを特徴とする。
【００４１】
請求項１８に記載の発明によれば、コンピュータに、低電力モードから通常電力モードへの復帰時に前記補助電源装置からＤＣ電力の供給を行なう処理を実行させる画像形成プログラムを記憶した記憶媒体を用いることにより、定着装置へ最大供給電力を供給することができ、低電力モードから通常電力モードへの復帰時間の短縮をはかることができる。
【００４２】
請求項１９に記載の発明は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体において、前記コンピュータに、休止モードから通常電力モードへの復帰時に前記補助電源装置からＤＣ電力の供給を行なう処理を実行させる画像形成プログラムを記憶したことを特徴とする。
【００４３】
請求項１９に記載の発明によれば、コンピュータに、休止モードから通常電力モードへの復帰時に前記補助電源装置からＤＣ電力の供給を行なう処理を実行させる画像形成プログラムを記憶した記憶媒体を用いることにより、定着装置へ最大供給電力を供給することができ、休止モードから通常電力モードへの復帰時間の短縮をはかることができる。
【００４４】
請求項２０に記載の発明は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムにおいて、前記コンピュータに、電源投入時に前記補助電源装置からＤＣ電力の供給を行なう処理を実行させる画像形成プログラムを記憶したことを特徴とする。
【００４５】
請求項２０に記載の発明によれば、コンピュータに、電源投入時に前記補助電源装置からＤＣ電力の供給を行なう処理を実行させる画像形成プログラムを記憶したことにより、定着装置へ最大供給電力を供給することができ、電源投入時からの装置の立ち上がり時間の短縮をはかることができる。
【発明の効果】
【００４６】
本発明によれば、制御手段が低電力モードから通常電力モードへの復帰時に補助電源装置からＤＣ電力の供給を行なうことにより、定着装置へ最大供給電力を供給することができ、低電力モードから通常電力モードへの復帰時間の短縮をはかることができる。
【発明を実施するための最良の形態】
【００４７】
本発明の画像形成装置に係る一実施の形態は、ＡＣ電力とＤＣ電力とを供給する主電源装置と、蓄電可能なＤＣ電力を供給する補助電源装置と、主電源装置及び補助電源装置を用いて所定の期間ＤＣ電力を補助電源装置から供給する制御手段とを備えた画像形成装置であって、制御手段は、低電力モードから通常電力モードへの復帰時に補助電源装置からＤＣ電力の供給を行なうことを特徴とする。
【００４８】
ＡＣ電力は、商用電力であり、例えば、交流１００Ｖ５０Ｈｚ（もしくは１００Ｖ６０Ｈｚ）が挙げられる。
ＤＣ電力は、直流電力であり、例えば、＋２４Ｖ、＋５Ｖが挙げられる。ＤＣ電力は例えばスイッチングレギュレータにより得られるようになっている。
補助電源装置にはキャパシタを用いたキャパシタ電源ユニットが用いられる。
制御手段には、マイクロプロセッサが用いられる。
【００４９】
また、本発明の画像形成装置に係る他の実施の形態は、ＡＣ電力とＤＣ電力とを供給する主電源装置と、蓄電可能なＤＣ電力を供給する補助電源装置と、主電源装置及び補助電源装置を用いて所定の期間ＤＣ電力を補助電源装置から供給する制御手段とを備えた画像形成装置であって、制御手段は、休止モードから通常電力モードへの復帰時に補助電源装置からＤＣ電力の供給を行なうことを特徴とする。
【００５０】
また、本発明の画像形成装置に係る他の実施の形態は、ＡＣ電力とＤＣ電力とを供給する主電源装置と、蓄電可能なＤＣ電力を供給する補助電源装置と、主電源装置及び補助電源装置を用いて所定の期間ＤＣ電力を補助電源装置から供給する制御手段とを備えた画像形成装置であって、制御手段は電源投入時に補助電源装置からＤＣ電力の供給を行なうことを特徴とする。
【００５１】
また、本発明の画像形成装置に係る他の実施の形態は、上記構成に加え、制御手段は、装置立ち上げ時に所定の処理がある場合、補助電源装置からＤＣ電力の供給への移行を行なわず主電源装置から電力の供給を行ってもよい。
【００５２】
また、本発明の画像形成装置に係る他の実施の形態は、上記構成に加え、所定の処理は、画像位置合わせ処理、プロセス条件処理、コントローラ立ち上げ処理、トナー補給要求処理、用紙補給要求処理、廃トナー廃棄要求処理、もしくは、排紙取り除き要求処理であることを特徴とする。
【００５３】
本発明の画像形成方法に係る一実施の形態は、画像形成装置に対し、主電源装置よりＡＣ電力とＤＣ電力とを供給し、補助電源装置より所定の期間ＤＣ電力を供給する画像形成方法であって、低電力モードから通常電力モードへの復帰時に補助電源装置からＤＣ電力の供給を行なうことを特徴とする。
【００５４】
本発明の画像形成方法に係る他の実施の形態は、画像形成装置に対し、主電源装置よりＡＣ電力とＤＣ電力とを供給し、補助電源装置より所定の期間ＤＣ電力を供給する画像形成方法であって、休止モードから通常電力モードへの復帰時に補助電源装置からＤＣ電力の供給を行なうことを特徴とする。
【００５５】
本発明の画像形成方法に係る他の実施の形態は、画像形成装置に対し、主電源装置よりＡＣ電力とＤＣ電力とを供給し、補助電源装置より所定の期間ＤＣ電力を供給する画像形成方法であって、電源投入時に補助電源装置からＤＣ電力の供給を行なうことを特徴とする。
【００５６】
本発明の画像形成プログラムに係る一実施の形態は、画像形成装置の実質的なコンピュータに対し、主電源装置よりＡＣ電力とＤＣ電力とを供給する処理と、電源装置より所定の期間ＤＣ電力を供給する処理とを実行させる画像形成プログラムであって、コンピュータに、低電力モードから通常電力モードへの復帰時に補助電源装置からＤＣ電力の供給を行なう処理を実行させることを特徴とする。
【００５７】
本発明の画像形成プログラムに係る他の実施の形態は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムであって、コンピュータに、休止モードから通常電力モードへの復帰時に補助電源装置からＤＣ電力の供給を行なう処理を実行させることを特徴とする。
【００５８】
本発明の画像形成プログラムに係る他の実施の形態は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムであって、コンピュータに、電源投入時に補助電源装置からＤＣ電力の供給を行なう処理を実行させることを特徴とする。
【００５９】
本発明の記憶媒体に係る一実施の形態は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体であって、コンピュータに、低電力モードから通常電力モードへの復帰時に補助電源装置からＤＣ電力の供給を行なう処理を実行させる画像形成プログラムを記憶したことを特徴とする。
【００６０】
本発明の記憶媒体に係る他の実施の形態は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体であって、コンピュータに、休止モードから通常電力モードへの復帰時に補助電源装置からＤＣ電力の供給を行なう処理を実行させる画像形成プログラムを記憶したことを特徴とする。
【００６１】
本発明の記憶媒体に係る他の実施の形態は、画像形成装置の実質的なコンピュータに対し、主電源装置よりＡＣ電力とＤＣ電力とを供給する処理と、補助電源装置より所定の期間ＤＣ電力を供給する処理とを実行させる画像形成プログラムを記憶した記憶媒体において、コンピュータに、電源投入時に補助電源装置からＤＣ電力の供給を行なう処理を実行させる画像形成プログラムを記憶したことを特徴とする。
【００６２】
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
以上において、本実施形態により、画像形成装置における省エネモード復帰後の定着立ち上がり時間を短縮することができ、定着装置への電力供給を充分に行なうことができる。
【実施例１】
【００６３】
次に本発明に係る実施例について図面を参照して説明する。
図１に、本発明に係る実施例１のフルカラーデジタル複合機能複写機ＭＦ１の外観を示す。
このフルカラー複写機ＭＦ１は、大略で、自動原稿送り装置（ＡＤＦ）１２０と、操作ボード１０と、カラースキャナ１００と、カラープリンタ２００の各ユニットとで構成されている。
なお、操作ボード１０と、ＡＤＦ１２０付きのカラースキャナ１００とは、プリンタ２００から分離可能なユニットであり、カラースキャナ１００は、動力機器ドライバやセンサ入力およびコントローラを有する制御ボードを有して、エンジンコントローラ（ＣＰＵ５０８：図３）と直接または間接に通信を行いタイミング制御されて原稿画像の読み取りを行なう。
【００６４】
スキャナ１００およびプリンタ２００ならびにエンジン（５１０：図３）を接続したコントローラボード（５０１：図３）には、パソコンＰＣが接続したＬＡＮ(Local Area Network)が接続されており、ファクシミリコントロールユニット（ＦＣＵ  ５０６：図３）には、電話回線ＰＮ（ファクシミリ通信回線）に接続された交換器ＰＢＸが接続されている。
【００６５】
図２に、複合機能複写機ＭＦ１のカラープリンタ２００の機構を示す。
この実施例のカラープリンタ２００は、レーザプリンタである。このレーザプリンタ２００は、マゼンダ（Ｍ）、シアン（Ｃ）、イエロー（Ｙ）および黒（ブラック：Ｋ）の各色の画像を形成するための４組のトナー像形成ユニットａ〜ｄが、第１転写ベルト２０８の送り方向（図中の左から右方向ｙ）に沿ってこの順に配置されている。
即ち、このカラープリンタ２００は、４連ドラム方式（タンデム方式）のフルカラー画像形成装置である。
回転可能に支持され矢印方向に回転する感光体２０１の外周部には、除電装置、クリーニング装置、帯電装置２０２および現像装置２０４が配置されている。帯電装置２０２と現像装置２０４との間には、露光装置２０３から発せられる光情報の入るスペースが確保されている。感光体２０１の数は４個であるが、それぞれ周囲に設けられる画像形成用の部品構成は前述と同様の構成である。
現像装置２０４がそれぞれ扱う色材（トナー）の色は異なっている。各感光体２０１（４個）の一部が、第１転写ベルト２０８に接している。なお、本実施例では感光体が円筒状の場合で説明しているが、本発明はこれに限定されるものではなく、ベルト状の感光体を採用してもよい。
【００６６】
第１転写ベルト２０８は矢印ｙ方向に送り可能に、回転する支持ローラおよび駆動ローラ間に支持、張架されており、第１転写ベルト２０８の裏側（ループの内側）には、第１転写ローラが感光体２０１の近傍にそれぞれ配置されている。ベルトループの外側には、第１転写ベルト２０８用のクリーニング装置が配置されている。クリーニング装置は、第１転写ベルト２０８より転写紙（用紙）又は第２転写ベルトにトナー像を転写した後にその表面に残留する不要のトナーを拭い去る。
露光装置２０３は公知のレーザ方式で、フルカラー画像形成に対応した光情報を、一様に帯電された感光体２０１の表面に潜像として照射する。本実施例では露光装置がレーザ方式の場合で説明したが、本発明はこれに限定されるものではなく、ＬＥＤアレイと結像手段から成る露光装置を採用してもよい。
【００６７】
図２上で、第１転写ベルト２０８の右方には、第２転写ベルト２１５が配置されている。第１転写ベルト２０８と第２転写ベルト２１５とは接触し、あらかじめ定められた転写ニップを形成する。
第２転写ベルト２１５は矢印方向に送り可能に、支持ローラおよび駆動ローラ間に支持、張架されており、第２転写ベルト２１５の裏側（ループの内側）には、第２転写手段が配置されている。
第２転写ベルト２１５のベルトループの外側には、第２転写ベルト用のクリーニング装置、チャージャ等が配置されている。このクリーニング装置は、用紙にトナーを転写した後、残留する不要のトナーを拭い去る。
転写紙（用紙）は、図の下方の給紙カセット２０９、２１０に収納されており、最上の用紙が給紙ローラで１枚づつ、複数の用紙ガイドを経てレジストローラ２３３に搬送される。
第２転写ベルト２１５の上方には、定着器２１４、排紙ガイド２２４、排紙ローラ２２５、排紙スタック２２６が配置されている。
第１転写ベルト２０８の上方で、排紙スタック２２６の下方には、補給用のトナーが収納できる収納部２２７が設けられている。トナーの色はマゼンタ、シアン、イエロー、ブラックの四色があり、カートリッジの形態に対応している。各カートリッジから粉体ポンプ等により対応する色の現像装置２０４に適宜補給される。
【００６８】
ここで、図２に示した画像形成装置における両面印刷のときの各部の動作を説明する。
まず感光体２０１ａ〜２０１ｄによる作像が行われる。すなわち、露光装置２０３の作動により、不図示のＬＤ光源からの光が不図示の光学部品を経て、帯電装置２０２で一様に帯電された感光体２０１のうち、作像ユニットａの感光体上に至り、書き込み情報（色に応じた情報）に対応した潜像を形成する。
感光体２０１上の潜像は現像装置２０４で現像され、トナーによる顕像が感光体２０１の表面に形成され保持される。このトナー像は、第１転写手段により、感光体２０１と同期して送られる第１転写ベルト２０８の表面に転写される。感光体２０１の表面は、残存するトナーがクリーニング装置でクリーニングされ、除電装置で除電され、次の作像サイクルに備える。
第１転写ベルト２０８は、表面に転写されたトナー像を坦持し、矢印の方向に送られる。作像ユニットｂの感光体２０１には、別の色に対応する潜像が書き込まれ、対応する色のトナーで現像されて顕像となる。この顕像は、すでに第１転写ベルト２０８に乗っている前の色の顕像に重ねられ、最終的に４色重ねられる。
なお、単色黒のみを形成する場合もある。このとき同期して第２転写ベルト２１５は矢印方向に送られており、第２転写手段１１７の作用で、第２転写ベルト２１５の表面に第１転写ベルト２０８表面に作られた画像が転写される。
いわゆるタンデム形式である４個の作像ユニットａ〜ｄの各感光体２０１上で画像が形成されながら、第１転写ベルト２０８と第２転写ベルト２１５とが送られ、作像が進められるので、その時間が短縮できる。
第１転写ベルト２０８が、所定の送り位置まで送られると、用紙の別の面に作成されるべきトナー画像が、前述したような工程で再度感光体２０１により作像され、給紙が開始される。
給紙カセット１２１又は給紙カセット１２２内の最上部にある用紙が引き出されてレジストローラ２３３に搬送される。レジストローラ２３３を経て、第１転写ベルト２０８と第２転写ベルト２１５との間に搬送される用紙の片側の面に、第１転写ベルト２０８表面のトナー像が、第２転写手段１１７により転写される。
更に記録媒体は上方に搬送され、第２転写ベルト２１５表面のトナー像が、チャージャにより用紙のもう一方の面に転写される。転写に際して、用紙は画像の位置が正規のものとなるよう、タイミングがとられて搬送される。
【００６９】
上記のステップで両面にトナー像が転写された用紙は、定着器２１４に送られ、用紙上のトナー像（両面）が一度に溶融、定着され、ガイド２２４を経て排紙ローラ２２５により本体フレーム上部の排紙スタック２２６に排出される。
図２のように、排紙部２２４〜２２６を構成した場合、両面画像のうち後から用紙に転写される面（頁）、すなわち第１転写ベルト２０８から用紙に直接転写される面が下面となって、排紙スタック２２６に載置されるため、頁揃えをしておくには第２頁目の画像を先に作成し、第２転写ベルト２１５にそのトナー像を保持し、第１頁目の画像を第１転写ベルト２０８から用紙に直接転写する。
第１転写ベルト２０８から直接に用紙に転写される画像は、感光体表面で正像になり、第２転写ベルト２１５から用紙に転写されるトナー像は、感光体表面で逆像（鏡像）になるよう露光される。このような頁揃えのための作像順、ならびに、正像、逆像（鏡像）に切り換える画像処理も、コントローラ５０１上でのメモリに対する画像データの読書き制御によって行っている。第２転写ベルト２１５から用紙に転写した後、ブラシローラ、回収ローラ、ブレード等を備えたクリーニング装置が、第２転写ベルト２１５に残留する不要なトナーや紙粉を除去する。
【００７０】
図２では第２転写ベルト２１５のクリーニング装置のブラシローラが第２転写ベルト２１５の表面から離れた状態にある。そのブラシローラは、支点を中心として揺動可能で、第２転写ベルト２１５の表面に接離可能な構造になっている。
用紙に転写する以前で、第２転写ベルト２１５がトナー像を担持しているとき離し、クリーニングが必要のとき、図で反時計方向に揺動し接触させる。除去された不要トナーはトナー収納部に集められる。
以上が、「両面転写モード」を設定した両面印刷モードの作像プロセスである。両面印刷の場合には、常にこの作像プロセスで印刷が行われる。
【００７１】
片面印刷の場合には、「第２転写ベルト２１５による片面転写モード」と「第１転写ベルト２０８による片面転写モード」との２つのモードがあり、前者の第２転写ベルト２１５を用いる片面転写モードを設定した場合には、第１転写ベルト２０８に３色又は４色重ねもしくは単色黒で形成された顕像が第２転写ベルト２１５に転写され、用紙の片面に転写される。用紙の他面には画像転写はない。この場合、排紙スタック２２６に排出された印刷済用紙の上面に印刷画面がある。後者の第１転写ベルト２０８を用いる片面転写モードを設定した場合には、第１転写ベルト２０８に３色又は４色重ねもしくは単色黒で形成された顕像が、第２転写ベルト２１５には転写されずに、用紙の片面に転写される。用紙の他面には画像転写はない。この場合は、排紙スタック２２６に排出された印刷済用紙の下面に印刷画面がある。
【００７２】
図３に、図１に示す複合機能複写機ＭＦ１の電装系統のシステム構成を示す。
電装システムは、画像形成装置の全体制御を行なうシステムコントローラ５０１、コントローラ５０１に接続された、画像形成装置の操作ボード１０、画像データを記憶するＨＤＤ５０３、アナログ回線を使用して外部との通信を行なう通信コントロール装置インターフェースボード５０４、ＬＡＮインターフェースボード５０５、汎用ＰＩＣバスに接続された、ＦＡＸのコントロールユニット５０６、ＩＥＥＥ１３９４ボード、無線ＬＡＮボード、ＵＳＢボード等５０７と、ＰＣＩバスでコントローラに接続されたエンジン制御５１０、エンジン制御５１０に接続された、画像形成装置のＩ／Ｏを制御するＩ／Ｏボード５１３、及び、コピー原稿（画像）を読込むスキャナーボード（ＳＢＵ：Sensor Board Unit）５１１、及び画像データが表わす画像光を感光体ドラム上に投射する（光書込みする）ＬＤＢ（レーザダイオードボード）５１２等で構成される。
【００７３】
原稿を光学的に読み取る画像スキャナ１００は、原稿に対する原稿照明光源の走査を行い、ＣＣＤ５２０に原稿像を結像する。原稿像すなわち原稿に対する光照射の反射光をＣＣＤ５２０で光電変換してＲ（Red）、Ｇ（Green）、Ｂ（Blue）画像信号を生成する。
【００７４】
通信コントロール装置インターフェースボード５０４は、装置に不具合が発生した場合に外部の遠隔地診断装置に即時に通報し、故障個所の内容，状況等をサービスマンが認識し早急に修理することを可能としている。また、それ以外に装置の使用状況等の発信にも使用されている。
【００７５】
図３に示すＣＣＤ５２０は、３ラインカラーＣＣＤであり、ＥＶＥＮｃｈ（偶数画素チャンネル）／ＯＤＤｃｈ（奇数画素チャンネル）のＲ、Ｇ、Ｂ画像信号を生成し、ＳＢＵボードのアナログＡＳＩＣ(Application Specific IC)に入力する。ＳＢＵボード５１１にはアナログＡＳＩＣ及び，ＣＣＤ、アナログＡＳＩＣの駆動タイミングを発生する回路を備えている。ＣＣＤ５２０の出力は、アナログＡＳＩＣ内部のサンプルホールド回路により、サンプルホールドされその後、Ａ／Ｄ変換され、Ｒ、Ｇ、Ｂの画像データに変換し、且つシェーディング補正し、そして出力Ｉ／Ｆ（インターフェース）５２０で画像データバスを介して画像データ処理器ＩＰＰ（Image Processing Processor；以下では単にＩＰＰと記述）に送出する。
【００７６】
ＩＰＰは画像処理をおこなうプログラマブルな演算処理手段であり、分離生成（画像が文字領域か写真領域かの判定：像域分離）、地肌除去、スキャナガンマ変換、フィルタ、色補正、変倍、画像加工、プリンタガンマ変換および階調処理を行なう。ＳＢＵからＩＰＰに転送された画像データは、ＩＰＰにて光学系およびデジタル信号への量子化に伴う信号劣化（スキャナ系の信号劣化）を補正され、フレームメモリ５２１に書き込まれる。
【００７７】
システムコントローラ５０１には、ＣＰＵ５０２及びシステムコントローラボードの制御を行なうＲＯＭ、ＣＰＵ５０２が使用する作業用メモリであるＲＡＭ，リチウム電池を内蔵し、ＳＲＡＭのバックアップと時計とを内蔵したＮＶ−ＲＡＭ及び、システムコントローラボードのシステバス制御、フレームメモリ制御、ＦＩＦＯ等のＣＰＵ周辺を制御するＡＳＩＣ及びそのインターフェース回路等が搭載されている。
【００７８】
システムコントローラ５０１は、スキャナアプリケーション、ファクシミリアプリケーション、プリンタアプリケーションおよびコピーアプリケーション等の複数アプリケーションの機能を有し、システム全体の制御を行なう。操作ボード１０の入力を解読して本システムの設定とその状態内容を操作ボード１０の表示部に表示する。
【００７９】
ＰＣＩバスには多くのユニットが接続されており、画像データバス／制御コマンドバスで、画像データと制御コマンドとが時分割で転送される。通信コントロール装置インターフェースボード５０４は、通信コントロール装置と、コントローラ５０１との通信インターフェースボードである。コントローラ５０１との通信は、例えば全二重非同期シリアル通信で接続されている。通信コントロール装置５２２とは、ＲＳ−４８５インターフェース規格により、マルチドロップ接続されている。遠隔の管理システムとの通信は、この通信コントローラ装置インターフェースボード５０４を経由して実施される。
ＬＡＮインターフェースボード５０５は、社内ＬＡＮに接続されており、社内ＬＡＮとコントローラ５０１との通信インターフェースボードであり、ＰＨＹチップを搭載している。ＬＡＮインターフェースボード５０５とコントローラ５０１とは、ＰＨＹチップＩ／Ｆ及びＩ２ＣバスＩ／Ｆの標準的な通信インターフェースで接続されている。外部機器との通信はこのＬＡＮインターフェースボード５０５を経由して実施される。
【００８０】
ＨＤＤ５０３は、システムのアプリケーションプログラムならびにプリンタ、作像プロセス機器の機器付勢情報を格納するアプリケーションデータベース、ならびに、読み取り画像や書き込み画像のイメージデータ、すなわち画像データ、ならびにドキュメントデータを蓄える画像データベースとして用いられる。物理インターフェース、電気的インターフェース共に、ＡＴＡ／ＡＴＡＰＩ−４に準拠したインターフェースでコントローラに接続されている。
【００８１】
操作ボード１０には、ＣＰＵ及びＲＯＭ、ＲＡＭ、ＬＣＤ及びキー入力を制御するＡＳＩＣ（ＬＣＤＣ）が搭載されている。ＲＯＭには操作ボード１０の入力読込み、及び表示出力を制御する、操作ボード１０の制御プログラムが書き込まれている。
ＲＡＭは、ＣＰＵで使用する作業用メモリである。システムコントローラ５０１との通信により、パネルを操作して使用者がシステム設定の入力を行なう入力と、使用者にシステムの設定内容，状態を表示する、表示および入力の制御が行われている。
【００８２】
システムコントローラ５０１のワークメモリから出力されたブラック（Ｂｋ）、シアン（Ｃ）、マデンタ（Ｍ）、イエロー（Ｙ）の各色の書き込み信号は、ＬＤＢ（Laser Diode control Board）５１２のＢｋ、Ｃ、Ｍ、Ｙの各ＬＤ（Laser Diode）書き込み回路に入力される。各ＬＤ書き込み回路でＬＤ電流制御（変調制御）が行われ、各ＬＤに出力される。
【００８３】
エンジン制御５１０は、画像形成の作像作成制御を主として行い、ＣＰＵ５０８及び、画像処理を行なうＩＰＰ、複写およびプリントアウトを制御するため必要なプログラムを内蔵したＲＯＭ、その制御に必要なＲＡＭ、及びＮＶ―ＲＡＭを搭載している。ＮＶ−ＲＡＭにはＳＲＡＭと、電源ＯＦＦを検知して、ＥＥＰＲＯＭにストアするメモリとが搭載されている。また、他の制御を行なうＣＰＵとの信号の送受信を行なう、シリアルインターフェースも備えている。Ｉ／Ｏ  ＡＳＩＣは、エンジン制御ボードが実装された、近くのＩ／Ｏ（カウンター、ファン、ソレノイド、モータ等）を制御するＡＳＩＣである。Ｉ／Ｏ制御ボード５１３とエンジン制御ボード５１０とは同期シリアルインターフェース接続されている。
【００８４】
Ｉ／Ｏ制御ボード５１３には、サブＣＰＵ５１５が搭載されており、定着温度センサ、キャパシタ電源装置の出力電圧Ｖｃｏ、Ｐセンサ、Ｔセンサ等のアナログ信号をデジタル変換して読み込み、出力機器の駆動、用紙センサ参照するジャム検出、用紙搬送制御も含む画像形成装置のＩ／Ｏ制御を行っている。インターフェース回路５１６は、各種センサ、アクチュエータ（モータ、クラッチ、ソレノイド）とのインターフェース回路である。
【００８５】
電源装置ＰＳＵ５１４は、画像形成装置を制御する電源を供給するユニットである。メインＳＷ７９（図４）のオン（閉）により、商用電源が供給される。その商用電源からＡＣ制御回路５４０に商用ＡＣが供給され、ＡＣ制御回路５４０が定着装置２１４のメインヒータ５１８（図４）に交流電力を給電する。電源装置ＰＳＵ５１４には、複写機各部に直流電圧を供給する主電源回路および複写機各部に直流電源を供給する補助電源としてのキャパシタ電源装置８０（図４）がある。
【００８６】
図４に、電源回路５１４の概要を示す。
メインＳＷ（元電源スイッチ）７９が閉じられると、商用交流１００Ｖが、電源回路５１４の整流平滑回路８１およびＡＣ制御回路５４０に加わる。整流平滑回路８１の直流出力がＤＣ／ＤＣコンバータ８２に印加される。この例ではＤＣ／ＤＣコンバータ８２は、安定化した＋２４Ｖおよび＋５Ｖの２系統の直流電圧＋２４ＶＥ、＋５ＶＥを発生する。
【００８７】
電源回路５１４では、コンバータ出力がキャパシタ電源装置８０の接続切換回路９０ｄを経由して＋２４ＶＥ（＋２４Ｖの電圧）と＋５ＶＥ（＋５Ｖの電圧）とにそれぞれスイッチ８４、８５が接続されている。定着装置２１４のメインヒータ５１８に通電するＡＣ制御回路５４０には、スイッチ８３を通して与えられる＋２４Ｖによって閉じられる電源リレーがあり、この電源リレーが閉じられることにより、ＡＣ制御回路５４０内の、メインヒータ５１８に通電する交流通電回路に商用交流ＡＣが印加される。
この交流通電回路は、トライアック（登録商標：位相制御スイッチング素子）を用いる位相制御の交流通電回路であり、Ｉ／Ｏ制御５１３が読み込んだ、定着温度センサの温度検出信号を参照して、定着温度が目標温度になるように、トライアックの導通位相を制御する。
【００８８】
上述のスイッチ８５は自己保持スイッチであり、コントローラボード５０１のＣＰＵ５０２からのオン指示信号に応答してオン（導通）となってオンを自己保持し、エンジン制御５１０のＣＰＵ５０８からのオフ指示信号（リセット指示信号）に応答してオフ（非導通）となって自己保持を解除する。
この自己保持スイッチ８５が出力する＋５Ｖが、複写機内各部の制御回路に給電される。スイッチ８５に印加される＋５ＶＥは、省エネモード（休止モード）において動作モード（スタンバイモード）への復帰条件が成立したかをモニタする回路およびＣＰＵ５０２に印加される。エンジン制御５１０のＣＰＵ５０８（およびＩ／Ｏ制御５１３）にはスイッチ８５の出力電圧＋５Ｖが印加されるので、エンジン制御５１０（のＣＰＵ５０８）およびＩ／Ｏ制御５１３は、コントローラボード５０１のＣＰＵ５０２が省エネモード（休止モード）から動作モード（スタンバイモード）に復帰するためにスイッチ８５をオンにしたときに、スイッチ８５が出力する＋５Ｖで付勢されて動作を開始する。
【００８９】
上述のスイッチ８３，８４のオン／オフを行なう制御信号は、エンジン制御５１０のＣＰＵ５０８からＩ／Ｏ制御５１３を介してスイッチ８３、８４に与えられるが、このオン／オフの切り換え指示はコントローラボード５０１のＣＰＵ５０２が、省エネモード／動作モードの切り換えが必要になったときに、エンジン制御５１０のＣＰＵ５０８に指示する。
定着装置２１４の定着温度を、トナー像を転写した転写紙の定着処理に定められた目標温度又はそれよりやや低い温度に維持して、コピースタートあるいはプリントコマンドに応答して実質上遅れ時間無く画像形成を開始することが出来る「スタンバイモード」（待機モード；通常モード）では、スイッチ８３，８４および８５がすべてオンである。
【００９０】
「低電力モード」（省エネモード）では、コントローラボード５０１のＣＰＵ５０２は、エンジン制御５１０のＣＰＵ５０８を介して、定着装置２１４のメインヒータ５１８に通電するＡＣ制御回路５４０内の電源リレーにオン指示電圧＋２４Ｖを与えるスイッチ８３を、オフに切り換える。すなわちＣＰＵ５０２はＡＣ制御回路５４０への電源を遮断する。「低電力モード」では、プリント出力を伴わない、ＨＤＤ５０３に蓄積又は登録する画像読取、ファクシミリ送信のための画像読取、パソコンＰＣに送る原稿の画像読取のための、スキャナ１００およびＡＤＦ１２０の動作は可能にするために、動力系に＋２４Ｖを給電するスイッチ８４および制御系および通信系に＋５Ｖを給電するスイッチ８５はオンを継続する。
【００９１】
「休止モード」では、コントローラボード５０１のＣＰＵ５０２は、エンジン制御５１０のＣＰＵ５０８を介して、＋２４Ｖを給電するスイッチ８４および＋５Ｖを給電するスイッチ８５を、ともにオフにする。すなわちＣＰＵ５０２はスイッチ８３〜８５のすべてをオフにする。
【００９２】
しかし休止モードでは、スイッチ８３〜８５がオフではあるが、スキャナ１００の圧板スイッチ、ＡＤＦ１２０の原稿センサおよび操作ボード１０の電源キースイッチの各検出信号線には、＋５ＶＥが印加される。また、パソコンＰＣのプリントコマンドを検知する電気回路、および、ファクシミリコントロールユニットＦＣＵのファクシミリ受信検知回路に、＋５ＶＥが継続して印加される。
【００９３】
次の図５に、上述の省エネ切り換えの各モードと、給電スイッチ８３〜８５のオン／オフとの関係を示し、図６には、上述の各モードで可能な情報処理項目を示す。
図６上の「送，受信」はＦＣＵの、プリントアウトを伴わないファクシミリ送，受信であり、データ保持は、メモリ４０６の蓄積画像データの保持である。
【００９４】
電源回路５１４には、主電源の＋２４ＶＥの替わりに＋２４ＶＥを給電するキャパシタ電源装置８０がある。キャパシタ電源装置８０の主体はキャパシタユニット８９である。その構成は、図７を参照して後述する。
図７に、キャパシタユニットの構成を示す。
キャパシタユニット８９は、充電手段であるＤＣ／ＤＣコンバータ８８の直流出力端と給電手段であるＤＣ／ＤＣコンバータ９０の直流入力端とに接続されている。ＤＣ／ＤＣコンバータ８８には、交流リレー８６を通して給電される商用交流電圧を整流平滑回路８７が整流した直流電圧が印加される。
ＤＣ／ＤＣコンバータ８８内の、調圧トランスの1次側に通電するチョッパ回路（スイッチング回路）に、定電流制御回路８８ｉｃがスイッチングパルス（ＰＷＭパルス）を与える。定電流制御回路８８ｉｃはチョッパ回路のスイッチングをＰＷＭ制御（フィードバック定電流制御）するスイッチングレギュレータである。
ＤＣ／ＤＣコンバータ８８内の、調圧トランスの出力側の整流平滑回路の出力電流帰還路に介挿された電流検出用抵抗８８ｒの、出力電流に比例する電圧（電流検出電圧）を充電電流検出回路８８ｉｄが増幅して定電流制御回路８８ｉｃにフィードバックする。定電流制御回路８８ｉｃは、フィードバックされた充電電流信号が目標レベルに合致するようにＰＷＭパルスのパルス幅を操作してチョッパ回路に与える。すなわち定電流制御回路８８ｉｃは、定電流制御をする。
【００９５】
充電電流検出回路８８ｉｄは、低増幅率の第１フィードバック信号と高増幅率の第２フィードバック信号とを生成する増幅回路と、一方の信号を選択して定電流制御回路８８ｉｃにフィードバック信号として出力するアナログゲート回路とを有する。
この充電電流検出回路８８ｉｄは、後述するキャパシタユニット８９のモニタ信号Ｃｓｔが、複数の電気２重層キャパシタを直列接続したキャパシタ群の、全キャパシタが全て所定電圧Ｖｓ２未満であることを表わす高レベルＨの間は、低増幅率の第１フィードバック信号を定電流制御回路８８ｉｃに出力し、モニタ信号Ｃｓｔが、少なくとも１個のキャパシタの充電電圧が所定電圧Ｖｓ２に到達したことを表わす低レベルＬになると、高増幅率の第２フィードバック信号を定電流制御回路８８ｉｃに出力する。
この充電電流検出回路８８ｉｄにより、定電流制御回路８８ｉｃは、全キャパシタが全て所定電圧Ｖｓ２未満である間は高電流値をキャパシタユニット８９に定電流給電し、少なくとも１個のキャパシタの充電電圧が所定電圧Ｖｓ２に到達すると、低電流値をキャパシタユニット８９に定電流給電する。
【００９６】
図７に、キャパシタユニット８９の構成を示す。
キャパシタユニット８９は、この実施例では、定格充電電圧２．５Ｖ、容量６００Ｆの電気２重層キャパシタＣ１〜Ｃｎを１８個（ｎ＝１８）直列に接続したものであり、充放電ラインＬｈ／Ｌｅ間に接続されている。充放電ラインＬｈ／Ｌｅ間直列接続キャパシタ群の両端間電圧Ｖｃｏすなわち充放電ラインＬｈ／Ｌｅ間の定格電圧は、２．５×１８＝４５Ｖである。
各キャパシタＣ１〜Ｃｎには、実質上同一構成で同一特性のモニタ回路ＭＮ１〜ＭＮｎが接続されている。モニタ回路ＭＮ１は、キャパシタの充電電圧を検出する抵抗分圧回路Ｒ１、Ｒ２、この充電電圧が基準値に到達したか否かを検出する比較およびバイパス回路ＳＲ、Ｒ３、Ｑ１、Ｒ４、ＬＥＤドライバＲ５、Ｑ２、Ｒ６およびフォトカプラＰＣ１ならびに限流抵抗Ｒ７で構成されている。
モニタ回路ＭＮ１〜ＭＮｎの各出力端は共通に接続（論理和接続）されている。モニタ信号Ｃｓｔは、全モニタ回路ＭＮ１〜ＭＮｎの出力が、コンデンサ電圧が所定電圧Ｖｓ２に未満であることを表わす高レベルＨである間は、モニタ信号ＣｓｔのレベルはＨであるが、いずれかのコンデンサＣｉの電圧が所定値Ｖｓ２に到達してそれに接続されたモニタ回路ＰＣｉのモニタ信号が低レベルＬに反転すると、モニタ信号Ｃｓｔのレベルが低レベルＬに反転する。
【００９７】
充電時には、充放電ラインＬｈ／Ｌｅ間にＤＣ／ＤＣコンバータ８８から充電電圧、例えば４５Ｖが印加され、定電流制御回路８８ｉｃが充電電流を例えば１０Ａ程度に定電流制御する。キャパシタＣ１〜Ｃｎに定電流充電していくと、キャパシタＣ１〜ＣｎのいずれかのキャパシタＣｉの充電電圧が所定電圧Ｖｓ２に到達する。するとキャパシタＣｉに接続されたモニタ回路ＭＮｉのシャントレギュレータＳＲがオン（導通）し、それによりＰＮＰトランジスタＱ１がオンするため、コンデンサＣｉへの充電電流がバイパスされ、キャパシタＣｉへの充電が終了する。
また、ＰＮＰトランジスタＱ１がオンすることにより、ＮＰＮトランジスタＱ２がオンし、それによりフォトカプラＰＣｉの発光ダイオードが点灯してフォトトランジスタがオンするため、モニタ信号ＣｓｔのレベルがＨからＬに切り換る。
【００９８】
所定電圧Ｖｓ２は、この値に到達すると充電電流をバイパスする電圧値であり、電気二重層キャパシタの定格電圧より僅かに小さくなるように設定している。この所定電圧Ｖｓ２は、シャントレギュレータＳＲの基準電圧ＶＲ１および分圧抵抗Ｒ２、Ｒ１の抵抗値により下式のように決定している：
Ｖｓ２＝ＶＲ１（１＋Ｒ２／Ｒ１）。
電源回路５１４には、接続切換回路９０ｄがあり、主電源のＤＣ／ＤＣコンバータ８２の＋２４ＶＥとキャパシタ電源装置８０のＤＣ／ＤＣコンバータ９０の＋２４ＶＥを切り換えてＳＷ８４へ接続されている。
【００９９】
次に請求項１に係る画像形成装置の制御について、図８のフローチャートを用いて説明する。
図８に、画像形成装置のフローチャートの一例を示す。
画像形成装置の立ち上がりが低電力モードからの復帰であるか否かを判断し（ステップＳ８０１）、低電力モードからの復帰であると判断した場合（ステップＳ８０１／Ｙ）は、図４に示す接続切換回路９０ｄにより補助電源装置（キャパシタ電源装置８０）から＋２４ＶＥが供給される。つまり主電源装置のＤＣ／ＤＣコンバータ８２からの＋２４ＶＥは接続されない（ステップＳ８０２）。
また、この時ＡＣ制御回路により定着器２１４のヒータは、最大供給電力を大きくして制御する。したがって、定着器２１４の昇温を速くすることができる（ステップＳ８０３）。
最大供給電力が大になるとタイマがスタートし（ステップＳ８０４）、所定時間経過したか否かを判断する（ステップＳ８０５）。所定時間経過するまで待機（ステップＳ８０５／Ｎ）し、所定時間経過後（ステップＳ８０５／Ｙ）は、定着器２１４も十分な温度に加熱されるので、ヒータへの最大供給電力を小さくして制御する（ステップＳ８０６）。また、この時、接続切換回路９０ｄにより補助電源装置（キャパシタ電源装置８０）からの＋２４ＶＥの供給から、主電源装置のＤＣ／ＤＣコンバータ８２からの＋２４ＶＥの供給に接続を切り替え、補助電源装置からの放電を停止する（ステップＳ８０７）。
【０１００】
画像形成装置の立ち上がりが低電力モードからの復帰でない場合（ステップＳ８０１／Ｎ）は、図４に示す接続切換回路９０ｄにより主電源装置のＤＣ／ＤＣコンバータ８２から＋２４ＶＥが供給される。また、この時ＡＣ制御回路により定着器２１４のヒータは、最大供給電力を小さくして制御する（ステップＳ８０９）。
【０１０１】
ここで、低電力モード(Low-power mode)とは、コピー操作終了後、一定時間の操作がない時に自動的に設定される最初の低電力状態である。
【実施例２】
【０１０２】
次に請求項２に係る画像形成装置の制御について、図９のフローチャートを用いて説明する。
図９に、画像形成装置のフローチャートの一例を示す。
画像形成装置の立ち上がりが休止モードからの復帰であるか否かを判断し（ステップＳ９０１）、休止モードからの復帰であると判断した場合（ステップＳ９０１／Ｙ）は、図４に示す接続切換回路９０ｄにより補助電源装置（キャパシタ電源装置８０）から＋２４ＶＥが供給される。つまり主電源装置のＤＣ／ＤＣコンバータ８２からの＋２４ＶＥは接続されない（ステップＳ９０２）。
また、この時ＡＣ制御回路により定着器２１４のヒータは、最大供給電力を大きくして制御する。したがって、定着器の昇温を速くすることができる（ステップＳ９０３）。
定着器２１４への最大供給電力が大きくなると、タイマがスタートし（ステップＳ９０４）、所定時間が経過するまで待機し（ステップＳ９０４／Ｎ）、所定時間経過後（ステップＳ９０４／Ｙ）は、定着器２１４が十分な温度に加熱され、ヒータへの最大供給電力を小さくして制御する（ステップＳ９０６）。また、この時、接続切換回路９０ｄにより補助電源装置（キャパシタ電源装置８０）からの＋２４ＶＥの供給から主電源装置のＤＣ／ＤＣコンバータ８２からの＋２４ＶＥの供給に接続を切り替え、補助電源装置からの放電を停止する（ステップＳ９０７）。
【０１０３】
画像形成装置の立ち上がりが休止モードからの復帰でない場合（ステップＳ９０１／Ｎ）は、図４に示す接続切換回路９０ｄにより主電源装置のＤＣ／ＤＣコンバータ８２から＋２４ＶＥが供給される（ステップＳ９０８）。また、この時ＡＣ制御回路により定着器２１４のヒータは、最大供給電力を小さくして制御する（ステップＳ９０９）。
【０１０４】
ここで、休止モードとは、一定時間、コピーを行なわなかった時に自動的にオフ状態を設定する機能で設定される電力状態であるオフモード（Off Mode）もしくは、複合機の場合に低電力モードに引き続き、出力動作が行われなかった場合に連続的に実現される第二の低電力状態であるスリープモード（Sleep Mode）である。
【実施例３】
【０１０５】
次に請求項３に係る画像形成装置の制御について、図１０のフローチャートを用いて説明する。
画像形成装置の立ち上がりが電源投入時であるか否かを判断し（ステップＳ１０００）、電源投入時の場合（ステップＳ１０００／Ｙ）は、図４に示す接続切換回路９０ｄにより補助電源装置（キャパシタ電源装置８０）から＋２４ＶＥが供給される。つまり主電源装置のＤＣ／ＤＣコンバータ８２からの＋２４ＶＥは接続されない（ステップＳ１００１）。
また、この時ＡＣ制御回路により定着器２１４のヒータは、最大供給電力を大きくして制御する。したがって、定着器の昇温を速くすることができる（ステップＳ１００２）。
定着器２１４に最大供給電力が供給されるとタイマがスタートし（ステップＳ１００３）、所定時間経過するまで待機し（ステップＳ１００３／Ｎ）、所定時間経過後（ステップＳ１００３／Ｙ）は、定着器２１４も十分な温度に加熱され、ヒータへの最大供給電力を小さくして制御する（ステップＳ１００５）。
また、この時、接続切換回路９０ｄにより補助電源装置（キャパシタ電源装置８０）からの＋２４ＶＥの供給から、主電源装置のＤＣ／ＤＣコンバータ８２からの＋２４ＶＥの供給に接続を切り替え、補助電源装置からの放電を停止する（ステップＳ１００６）。
【０１０６】
画像形成装置の立ち上がりが電源投入時でない場合（ステップＳ１０００／Ｎ）は、図４に示す接続切換回路９０ｄにより主電源装置のＤＣ／ＤＣコンバータ８２から＋２４ＶＥが供給される（ステップＳ１００７）。また、この時ＡＣ制御回路により定着器２１４のヒータは、最大供給電力を小さくして制御する（ステップＳ１００８）。
【０１０７】
請求項４から７に係る画像形成装置の制御について、図１１〜１４のフローチャートを用いて説明する。
【０１０８】
以下の説明では、請求項１に係る画像形成装置の低電力モードからの復帰の場合で説明を行なうが、請求項２に係る画像形成装置の休止モードからの復帰や請求項３に係る画像形成装置の電源投入時でも同様である。
【実施例４】
【０１０９】
図１１に、画像形成装置のフローチャートの一例を示す。
図１１において、画像形成装置の立ち上がりが低電力モードからの復帰であるか否かを判断し（ステップＳ１１００）、低電力モードからの復帰であると判断した場合（ステップＳ１１００／Ｙ）は、さらに、所定の処理があるか否かを判断する（ステップＳ１１０１）。
所定の処理がない場合（ステップＳ１１０１／Ｎ）は、図４に示す接続切換回路９０ｄにより補助電源装置（キャパシタ電源装置８０）から＋２４ＶＥが供給される。つまり主電源装置のＤＣ／ＤＣコンバータ８２からの＋２４ＶＥは接続されない（ステップＳ１１０２）。
また、この時ＡＣ制御回路により定着器２１４のヒータは、最大供給電力を大きくして制御する。したがって、定着器２１４の昇温を速くすることができる（ステップＳ１１０３）。
【０１１０】
定着器２１４への最大供給電力が大きくなると、タイマがスタートし（ステップＳ１１０４）、所定時間経過したか否かを判断する（ステップＳ１１０５）。所定時間待機し（ステップＳ１１０５／Ｎ）、所定時間経過後（ステップＳ１１０５／Ｙ）は、定着器２１４が十分に加熱され、ヒータへの最大供給電力を小さくして制御する（ステップＳ１１０６）。
また、この時、接続切換回路９０ｄにより補助電源装置（キャパシタ電源装置８０）：＋２４ＶＥの供給から、主電源装置のＤＣ／ＤＣコンバータ８２から＋２４ＶＥの供給に接続を切り替え、補助電源装置からの放電を停止する（ステップＳ１１０７）。
【０１１１】
所定の処理があると判断した場合（ステップＳ１１００／Ｎ）は、図４に示す接続切換回路９０ｄにより主電源装置のＤＣ／ＤＣコンバータ８２から＋２４ＶＥが供給される（ステップＳ１１０８）。また、この時ＡＣ制御回路により定着器２１４のヒータは、最大供給電力を小さくして制御する（ステップＳ１１０９）。
【０１１２】
以上において、本所定の処理に時間が必要なため、定着器の昇温を速くする必要がなく、補助電源装置の無駄な放電を防止することができる。
同様に、画像形成装置の立ち上がりが低電力モードからの復帰ではないと判断した場合（ステップＳ１１００／ＮＯ）は、図４に示す接続切換回路９０ｄにより主電源装置のＤＣ／ＤＣコンバータ８２から＋２４ＶＥが供給される（ステップＳ１１０８）。また、この時ＡＣ制御回路により定着器２１４のヒータは、最大供給電力を小さくして制御する（ステップＳ１１０９）。
【０１１３】
ここで、所定の処理とは、たとえば、画像位置あわせ処理（請求項５）、プロセス条件処理（請求項６）、コントローラの立ち上げ処理（請求項７）、トナー補給要求処理（請求項８）、用紙補給要求処理（請求項９）、廃トナー廃棄要求処理（請求項１０）、排紙取り除き要求処理（請求項１１）をいう。
【実施例５】
【０１１４】
次に、画像位置合わせ処理の一例を説明する。
複数色の画像を形成するカラー画像形成装置においては、白黒画像とは異なり、各色の画像を重ね合せるので、各色の画像位置がずれると、線画や文字の色が変わったり、画像ムラ（色むら）が発生したりすることになり、画像品質の低下につながってしまう。そのため、各色の画像位置をできる限り合せる必要がある。
そのようなことから、複数の感光体を用いてカラー画像を形成する画像形成装置においては、環境温度の変化や機内温度の変化など、様々な要因により発生する主走査方向（記録紙の搬送方向や転写ベルトの送り方向に対して直角の方向）の位置ずれを次のようにして補正している。
【０１１５】
まず、転写ベルト上に、主走査方向に延びる直線からなる基準部と、転写ベルトの送り方向に対して斜めに延びる斜線とを形成する。そのあと、その基準線と斜線をセンサで検知し、そのセンサからの検知信号に基づいて得た基準部と斜線との主走査方向間隔の測定値とメモリに記憶されている基準値とに基づいて斜線の主走査方向のずれ量をＣＰＵで演算し、その演算結果に基づいて主走査方向の書き込み開始タイミングおよび書き込みクロック周波数の少なくとも一方を補正する。
このような補正により、環境変化だけでなく、経時変化による位置ずれを補正することができ、色ずれのない高品位の画像を得ることができる。
以上の処理には、概ね１〜５分程度の時間が必要となる。処理の有無の判断は、一定枚数毎や一定時間以上、環境温度の変化等で判断する。
【０１１６】
図１２は所定の処理が画像位置合わせ処理の場合のフローチャートの一例を示す図である。
図１２に示したフローチャートと図１１に示したフローチャートとの相違点は、図１１のステップＳ１１０１の「所定の処理があるか否かの判断」が「画像位置合わせ処理があるか否かの判断：ステップＳ１２０１」に代わった点である。
すなわち、図１２のステップＳ１２００が図１１のステップＳ１１００に相当し、図１２のステップＳ１２０２〜Ｓ１２０９が図１１のステップＳ１１０２〜Ｓ１１０９に相当する。このため、図１２のフローチャートの説明を省略する。
【実施例６】
【０１１７】
次にプロセス条件処理の一例を説明する。
画像形成装置においては、帯電装置、露光装置、感光体、現像剤等の装置や消耗品が使用されている。これらの装置や消耗品は、温度及び湿度等の環境変化に対する特性変化や経時変化による特性変化を生じる。このため、感光体を帯電露光して得られた画像の形成状態は、装置や消耗品特性の変化によって不安定になる。
【０１１８】
そこで、帯電装置、露光装置、感光体、現像剤等の特性の変化に応じて画像形成プロセス条件を制御して、画像形成状態の安定化を図る。転写ベルト等の像担持体上にパターントナー像を担持させ、そのトナー濃度をフォトセンサで検出し、その検出値に基づいてバイアス電圧や露光光量等を調整する。
以上の処理には、概ね１〜４分程度の時間が必要となる。処理の有無の判断は、一定枚数毎や一定時間以上、環境温度の変化等で判断する。
【０１１９】
図１３は所定の処理がプロセス条件処理の場合のフローチャートの一例を示す図である。
図１３に示したフローチャートと図１１に示したフローチャートとの相違点は、図１１のステップＳ１１０１の「所定の処理があるか否かの判断」が「プロセス条件処理があるか否かの判断：ステップＳ１３０１」に代わった点である。
すなわち、図１３のステップＳ１３００が図１１のステップＳ１１００に相当し、図１３のステップＳ１３０２〜Ｓ１３０９が図１１のステップＳ１１０２〜Ｓ１１０９に相当する。このため、図１３のフローチャートの説明を省略する。
【実施例７】
【０１２０】
次にコントローラの立ち上げ処理の一例を説明する。
コントローラにおいては、ＲＯＭ、ＲＡＭのチェックやＲＡＭ、ワークメモリ、フレームメモリ、ＡＳＩＣ等の初期化、ＮＶ−ＲＡＭからのデータロードなどがある。また、高価なＲＯＭの場合には圧縮形式でプログラムを記憶し、実行時にプログラムをＲＡＭ上に展開することを行っている。ＯＳの起動等も含まれる。以上の処理には、実施する内容により差があり、数秒〜数分程度の時間が必要となる。処理の有無の判断は、コントローラの状態（低電力モード／休止モード／電源オフ）で判断する。
【０１２１】
図１４は所定の処理がコントローラ立ち上げ処理の場合のフローチャートの一例を示す図である。
図１４に示したフローチャートと図１１に示したフローチャートとの相違点は、図１１のステップＳ１１０１の「所定の処理があるか否かの判断」が「コントローラ立ち上げ処理があるか否かの判断：ステップＳ１４０１」に代わった点である。
すなわち、図１４のステップＳ１４００が図１１のステップＳ１１００に相当し、図１４のステップＳ１４０２〜Ｓ１４０９が図１１のステップＳ１１０２〜Ｓ１１０９に相当する。このため、図１４のフローチャートの説明を省略する。
【実施例８】
【０１２２】
次にトナー補給要求処理の一例を説明する。
図１５は所定の処理がトナー補給要求処理の場合のフローチャートの一例を示す図である。
図１５に示したフローチャートと図１１に示したフローチャートとの相違点は、図１１のステップＳ１１０１の「所定の処理があるか否かの判断」が「トナー補給要求処理有り？：ステップＳ１５０１」に代わった点である。
すなわち、図１５のステップＳ１５００が図１１のステップＳ１１００に相当し、図１４のステップＳ１５０２〜Ｓ１５０９が図１１のステップＳ１１０２〜Ｓ１１０９に相当する。このため、図１５のフローチャートの説明を省略する。
なお、図１５に示したフローチャートを用いた画像形成装置においては、ユーザに対して「トナーが無くなりました。トナーカートリッジを入れ替えてください。」等のメッセージ表示を行なうのが好ましい。処理の有無の判断は、画像形成装置の消耗品であるトナー量で判断する。処理を終了させる為には、新しいトナーカートリッジに入れ替える必要がある。
【実施例９】
【０１２３】
次に用紙補給要求処理の一例を説明する。
図１６は所定の処理が用紙補給要求処理の場合のフローチャートの一例を示す図である。
図１６に示したフローチャートと図１１に示したフローチャートとの相違点は、図１１のステップＳ１１０１の「所定の処理があるか否かの判断」が「用紙補給要求処理有り？：ステップＳ１６０１」に代わった点である。
すなわち、図１６のステップＳ１６００が図１１のステップＳ１１００に相当し、図１６のステップＳ１６０２〜Ｓ１６０９が図１１のステップＳ１１０２〜Ｓ１１０９に相当する。このため、図１６のフローチャートの説明を省略する。
なお、図１６に示したフローチャートを用いた画像形成装置においては、ユーザに対して「トレイに用紙を補給してください。」等のメッセージ表示を行なうのが好ましい。処理の有無の判断は、画像形成装置の給紙トレイの用紙量で判断する。処理を終了させる為には、トレイに用紙をセットする必要がある。
【実施例１０】
【０１２４】
次に廃トナー廃棄要求処理の一例を説明する。
図１７は所定の処理が廃トナー廃棄要求処理の場合のフローチャートの一例を示すである。
図１７に示したフローチャートと図１１に示したフローチャートとの相違点は、図１１のステップＳ１１０１の「所定の処理があるか否かの判断」が「廃トナー廃棄要求処理有り？：ステップＳ１７０１」に代わった点である。
すなわち、図１７のステップＳ１７００が図１１のステップＳ１１００に相当し、図１７のステップＳ１７０２〜Ｓ１７０９が図１１のステップＳ１１０２〜Ｓ１１０９に相当する。このため、図１７のフローチャートの説明を省略する。
なお、図１７に示したフローチャートを用いた画像形成装置においては、ユーザに対して「廃トナーボトルを交換してください。」等のメッセージ表示を行なう。処理の有無の判断は、画像形成装置の感光体や転写ベルトのクリーニング時に取り除かれた廃トナーが廃トナーボトルに充填された量で判断する。処理を終了させる為には、新しい廃トナーボトル交換する必要がある。
【実施例１１】
【０１２５】
次に排紙取り除き要求処理の一例を説明する。
図１８は所定の処理が排紙取り除き要求処理の場合のフローチャートの一例を示す図である。
図１８に示したフローチャートと図１１に示したフローチャートとの相違点は、図１１のステップＳ１１０１の「所定の処理があるか否かの判断」が「排紙取り除き要求処理有り？：ステップＳ１８０１」に代わった点である。
すなわち、図１８のステップＳ１８００が図１１のステップＳ１１００に相当し、図１８のステップＳ１８０２〜Ｓ１８０９が図１１のステップＳ１１０２〜Ｓ１１０９に相当する。このため、図１８のフローチャートの説明を省略する。
なお、図１８に示したフローチャートを用いた画像形成装置においては、ユーザに対して「排紙トレイの用紙を取り除いてください。」等のメッセージ表示を行なうのが好ましい。処理の有無の判断は、画像形成装置の排紙トレイの用紙積載量で判断する。処理を終了させる為には、排紙トレイの用紙を取り除く必要がある。
【０１２６】
〔作用効果〕
（１）請求項１に対応する作用効果
請求項１に係る発明によれば、ＡＣ電力とＤＣ電力とを供給する主電源装置と蓄電可能なＤＣ電力を供給する補助電源装置とを用いて、所定の期間ＤＣ電力を補助電源装置で供給する画像形成装置において、低電力モードからの復帰時に補助電源装置からのＤＣ電力の供給を行なう事で、定着装置へ最大供給電力を供給でき、低電力モードから通常電力モードへの復帰時間の短縮をはかることができる。
【０１２７】
（２）請求項２に対応する作用効果
請求項２に係る発明によれば、ＡＣ電力とＤＣ電力とを供給する主電源装置と蓄電可能なＤＣ電力を供給する補助電源装置とを用いて、所定の期間ＤＣ電力を補助電源装置で供給する画像形成装置において、休止モードからの復帰時に補助電源装置からのＤＣ電力の供給を行なう事で、定着装置へ最大供給電力を供給でき、休止モードからの復帰時間の短縮をはかることができる。
【０１２８】
（３）請求項３に対応する作用効果
請求項３に係る発明によれば、ＡＣ電力とＤＣ電力とを供給する主電源装置と蓄電可能なＤＣ電力を供給する補助電源装置とを用いて、所定の期間ＤＣ電力を補助電源装置で供給する画像形成装置において、電源投入時に補助電源装置からのＤＣ電力の供給を行なう事で、定着装置へ最大供給電力を供給でき、電源投入時からの装置の立ち上がり時間の短縮をはかることができる。
【０１２９】
（４）請求項４に対応する作用効果
請求項４に係る発明によれば、請求項１から３のいずれか１項記載の画像形成装置において、装置立ち上げ時に所定の処理がある場合、補助電源装置からのＤＣ電力の供給に移行しない事で、補助電源装置の無駄な放電を防止する事ができる。
【０１３０】
（５）請求項５に対応する作用効果
請求項５に係る発明によれば、装置立ち上げ時に画像位置あわせ処理がある場合、補助電源装置からのＤＣ電力の供給に移行しない事で、補助電源装置の無駄な放電を防止する事ができる。
【０１３１】
（６）請求項６に対応する作用効果
請求項６に係る発明によれば、装置立ち上げ時にプロセス条件処理がある場合、補助電源装置からのＤＣ電力の供給に移行しない事で、補助電源装置の無駄な放電を防止する事ができる。
【０１３２】
（７）請求項７に対応する作用効果
請求項７に係る発明によれば、装置立ち上げ時にコントローラ立ち上げ処理がある場合、補助電源装置からのＤＣ電力の供給に移行しない事で、補助電源装置の無駄な放電を防止する事ができる。
【０１３３】
（８）請求項８に対応する作用効果
請求項８に係る発明によれば、装置立ち上げ時にトナー補給要求処理があるがある場合、補助電源装置からのＤＣ電力の供給に移行しない事で、補助電源装置の無駄な放電を防止する事ができる。
【０１３４】
（９）請求項９に対応する作用効果
請求項９に係る発明によれば、装置立ち上げ時に用紙補給要求処理があるがある場合、補助電源装置からのＤＣ電力の供給に移行しない事で、補助電源装置の無駄な放電を防止する事ができる。
【０１３５】
（１０）請求項１０に対応する作用効果
請求項１０に係る発明によれば、装置立ち上げ時に廃トナー廃棄要求処理があるがある場合、補助電源装置からのＤＣ電力の供給に移行しない事で、補助電源装置の無駄な放電を防止する事ができる。
【０１３６】
（１１）請求項１１に対応する作用効果
請求項１１に係る発明によれば、装置立ち上げ時に排紙取り除き要求処理があるがある場合、補助電源装置からのＤＣ電力の供給に移行しない事で、補助電源装置の無駄な放電を防止する事ができる。
【０１３７】
（１２）請求項１２に対応する作用効果
請求項１２に係る発明によれば、低電力モードから通常電力モードへの復帰時に補助電源装置からＤＣ電力の供給を行なうことにより、定着装置へ最大供給電力を供給することができ、低電力モードから通常電力モードへの復帰時間の短縮をはかることができる。
【０１３８】
（１３）請求項１３に対応する作用効果
請求項１３に係る発明によれば、休止モードから通常電力モードへの復帰時に補助電源装置からＤＣ電力の供給を行なうことにより、定着装置へ最大供給電力を供給することができ、休止モードから通常電力モードへの復帰時間の短縮をはかることができる。
【０１３９】
（１４）請求項１４に対応する作用効果
請求項１４に係る発明によれば、電源投入時に補助電源装置からＤＣ電力の供給を行なうことにより、定着装置へ最大供給電力を供給することができ、電源投入時からの装置の立ち上がり時間の短縮をはかることができる。
【０１４０】
（１５）請求項１５に対応する作用効果
請求項１５に係る発明によれば、コンピュータに、低電力モードから通常電力モードへの復帰時に前記補助電源装置からＤＣ電力の供給を行なう処理を実行させることにより、定着装置へ最大供給電力を供給することができ、低電力モードから通常電力モードへの復帰時間の短縮をはかることができる。
【０１４１】
（１６）請求項１６に対応する作用効果
請求項１６に係る発明によれば、コンピュータに、休止モードから通常電力モードへの復帰時に前記補助電源装置からＤＣ電力の供給を行なう処理を実行させることにより、定着装置へ最大供給電力を供給することができ、休止モードから通常電力モードへの復帰時間の短縮をはかることができる。
【０１４２】
（１７）請求項１７に対応する作用効果
請求項１７に係る発明によれば、コンピュータに、電源投入時に補助電源装置からＤＣ電力の供給を行なう処理を実行させることにより、定着装置へ最大供給電力を供給することができ、電源投入時からの装置の立ち上がり時間の短縮をはかることができる。
【０１４３】
（１８）請求項１８に対応する作用効果
請求項１８に係る発明によれば、コンピュータに、低電力モードから通常電力モードへの復帰時に前記補助電源装置からＤＣ電力の供給を行なう処理を実行させる画像形成プログラムを記憶した記憶媒体を用いることにより、定着装置へ最大供給電力を供給することができ、低電力モードから通常電力モードへの復帰時間の短縮をはかることができる。
【０１４４】
（１９）請求項１９に対応する作用効果
請求項１９に係る発明によれば、コンピュータに、休止モードから通常電力モードへの復帰時に前記補助電源装置からＤＣ電力の供給を行なう処理を実行させる画像形成プログラムを記憶した記憶媒体を用いることにより、定着装置へ最大供給電力を供給することができ、休止モードから通常電力モードへの復帰時間の短縮をはかることができる。
【０１４５】
（２０）請求項２０に対応する作用効果
請求項２０に係る発明によれば、コンピュータに、電源投入時に前記補助電源装置からＤＣ電力の供給を行なう処理を実行させる画像形成プログラムを記憶したことにより、定着装置へ最大供給電力を供給することができ、電源投入時からの装置の立ち上がり時間の短縮をはかることができる。
【産業上の利用可能性】
【０１４６】
本発明は、複写機、ファクシミリ装置、プリンタ等の画像形成装置、画像形成方法、画像形成プログラム、及び記憶媒体に利用することができる。
【図面の簡単な説明】
【０１４７】
【図１】本発明に係る実施例１のフルカラーデジタル複合機能複写機ＭＦ１の外観を示す図である。
【図２】複合機能複写機ＭＦ１のカラープリンタ２００の機構を示す図である。
【図３】図１に示す複合機能複写機ＭＦ１の電装系統のシステム構成を示す図である。
【図４】電源回路５１４の概要を示す図である。
【図５】省エネ切り換えの各モードと、給電スイッチ８３〜８５のオン／オフとの関係を示す図である。
【図６】各モードで可能な情報処理項目を示す図である。
【図７】キャパシタユニットの構成を示す図である。
【図８】画像形成装置のフローチャートの一例を示す図である。
【図９】画像形成装置のフローチャートの一例を示す図である。
【図１０】画像形成装置のフローチャートの一例を示す図である。
【図１１】画像形成装置のフローチャートの一例を示す図である。
【図１２】所定の処理が画像位置合わせ処理の場合のフローチャートの一例を示す図である。
【図１３】所定の処理がプロセス条件処理の場合のフローチャートの一例を示す図である。
【図１４】所定の処理が画像位置合わせ処理の場合のフローチャートの一例を示す図である。
【図１５】所定の処理がトナー補給要求処理の場合のフローチャートの一例を示す図である。
【図１６】所定の処理が用紙補給要求処理の場合のフローチャートの一例を示す図である。
【図１７】所定の処理が廃トナー廃棄要求処理の場合のフローチャートの一例を示すである。
【図１８】所定の処理が排紙取り除き要求処理の場合のフローチャートの一例を示す図である。
【符号の説明】
【０１４８】
１０    操作ボード
１００    スキャナ
１２０    ＡＤＦ
２００    プリンタ
【図１】
2007155767.tif 000003
【図２】
2007155767.tif 000004
【図３】
2007155767.tif 000005
【図４】
2007155767.tif 000006
【図５】
2007155767.tif 000007
【図６】
2007155767.tif 000008
【図７】
2007155767.tif 000009
【図８】
2007155767.tif 000010
【図９】
2007155767.tif 000011
【図１０】
2007155767.tif 000012
【図１１】
2007155767.tif 000013
【図１２】
2007155767.tif 000014
【図１３】
2007155767.tif 000015
【図１４】
2007155767.tif 000016
【図１５】
2007155767.tif 000017
【図１６】
2007155767.tif 000018
【図１７】
2007155767.tif 000019
【図１８】
2007155767.tif 000020